(57)【要約】      （修正有）【課題】動画コンテンツやアプリケーションやユーザ操作やユーザの視聴状況に応じて、適切な広告表示方法に切り替え、最適な広告効果が得られる表示装置及び表示システムを提供する。【解決手段】取得した動画コンテンツの内容、及び／または、取得したアプリケーションの内容、及び／または、該動画コンテンツ表示装置を利用しているユーザの操作に応じて、表示する広告映像の表示方法を決定し、前記決定した広告映像の表示方法に従って、前記動画コンテンツと、前記アプリケーションと、取得した広告映像とを合成して、出力することで、公告映像が挿入されたコンテンツの表示方法の自動的な切り替えを行う。【選択図】図１
2017139509.tif 000002
【特許請求の範囲】
【請求項１】
動画コンテンツ表示装置で再生する動画コンテンツを取得する動画コンテンツ取得部と、
該動画コンテンツ表示装置で動作させるアプリケーションを取得するアプリケーション取得部と、
前記取得した動画コンテンツの内容、及び／または、前記取得したアプリケーションの内容、及び／または、前記動画コンテンツ表示装置を利用しているユーザの操作に応じて、前記動画コンテンツ表示装置で表示する広告映像の表示方法を決める広告映像表示方法決定部と、
前記決定した広告映像の表示方法に従って、前記動画コンテンツ表示装置で表示する広告映像を取得する広告映像取得部と、
前記決定した広告映像の表示方法に従って、前記動画コンテンツと、前記アプリケーションと、前記広告映像とを合成して、前記動画コンテンツ表示装置で出力する画面を生成する表示画面生成部と、
を備える動画コンテンツ表示装置。
【請求項２】
前記広告映像の表示方法とは、前記動画コンテンツに時間的に挿入する方法、もしくは、前記動画コンテンツに空間的に挿入する方法のいずれかであることを特徴とする請求項１に記載の動画コンテンツ表示装置。
【請求項３】
前記動画コンテンツ表示装置で出力する画面の中の前記広告映像に対する前記ユーザの視聴状況情報を取得する視聴状況情報取得部をさらに備え、
前記広告映像表示方法決定部は、前記取得した動画コンテンツの内容、及び／または、前記取得したアプリケーションの内容、及び／または、前記ユーザの操作、及び／または、前記ユーザの視聴状況情報に応じて、前記動画コンテンツ表示装置で表示する広告映像の表示方法を決めることを特徴とする請求項１に記載の動画コンテンツ表示装置。
【請求項４】
前記取得した広告映像を、前記決定した広告映像の表示方法と整合のとれた広告映像となるように広告映像の変換を行う広告映像変換部をさらに備えることを特徴とする請求項１に記載の動画コンテンツ表示装置。
【請求項５】
前記決定した広告映像の表示方法と整合のとれた広告映像とは、前記動画コンテンツに時間的に挿入する用の広告映像、もしくは、前記動画コンテンツに空間的に挿入する用の広告映像のいずれかであることを特徴とする請求項４に記載の動画コンテンツ表示装置。
【発明の詳細な説明】
【技術分野】
【０００１】
本発明は、動画コンテンツとアプリケーション画面を表示する装置に関する。
【背景技術】
【０００２】
映像や音声をデジタルデータとして圧縮し、多重して放送するデジタル放送が実用化されて久しい。
【０００３】
また、放送以外にも、ＶＯＤ（ビデオ・オン・デマンド）やインターネット上で動画配信を行うサービスなどを用いて動画コンテンツを視聴する形態も増えてきている。
【０００４】
近年では、動画コンテンツとともに、コンテンツの内容や出演者に関する情報を提示するアプリケーションや、ＳＮＳ（Ｓｏｃｉａｌ  Ｎｅｔｗｏｒｋｉｎｇ  Ｓｅｒｖｉｃｅ）と連携して遠隔地の人と動画コンテンツに関係する情報をやりとりするアプリケーションを同じ画面に表示する取り組みが行われている。
【０００５】
インターネット上には様々なアプリケーションが存在するが、それらはＨＴＭＬ（ＨｙｐｅｒＴｅｘｔ  Ｍａｒｋｕｐ  Ｌａｎｇｕａｇｅ）との言語で記載されていることが多いため、動画コンテンツとともに表示するアプリケーションもＨＴＭＬで記述されたアプリケーションが表示可能となる事が望まれている。
【０００６】
このようなアプリケーションを表示する方法としては、動画コンテンツにアプリケーションを重畳表示したり、動画コンテンツを縮小表示して生じた余白部分にアプリケーションを表示したり、ウィンドゥシステムで動画コンテンツを表示している場合には、別ウィンドゥでアプリケーションを表示したり、動画コンテンツのアスペクト比である１６：９とは異なるアスペクト比のディスプレイ、例えば２１：９や４：３や１６：１０のディスプレイを用いてシステムを構成し、１６：９の動画コンテンツのアスペクト比を変えずに表示することで生じる余白部分にアプリケーションを表示する方法などがある。
【０００７】
このようなアプリケーションを表示する仕組みを用いて広告映像を表示して、動画コンテンツ表示端末の料金を無料もしくは廉価で販売し、広告収入で端末の料金を回収しようという動きもある。
【０００８】
動画コンテンツに広告映像を挿入する方法は大きく分けて２種類ある。
【０００９】
１つは、広告映像を時間的に挿入する方法で、もう１つは、広告映像を空間的に挿入する方法である。
【００１０】
前者は、民間の放送事業者で行われているＣＭの方法であり、ある動画コンテンツを再生する際に、冒頭や途中に広告映像を視聴する時間を設け、動画コンテンツを視聴するようにする方法である。
【００１１】
図７がそのイメージ図であり、図７（ｅ）が視聴する動画コンテンツで、図７の（ｆ）が広告映像を途中に挿入した場合のイメージを示している。
【００１２】
後者は、Ｗｅｂサイトなどで用いられているような方法で、動画コンテンツの周辺に広告映像を配置したり、動画コンテンツに広告映像を重畳したりして、動画コンテンツと広告映像を同一時間に両方を表示する方法である。
【００１３】
図８がそのイメージ図であり、図８（ｇ）が視聴する動画コンテンツで、図８（ｈ）は、図８（ｇ）の動画コンテンツを縮小表示して生じた余白部分の一部分に広告映像を表示した場合のイメージを示し、図８（ｉ）は、図８（ｇ）の動画コンテンツに広告映像を重畳した場合のイメージを示している。
【００１４】
特許文献１には、両方の方法で広告映像が挿入された動画コンテンツをユーザが選択する技術についての記載がある。
【００１５】
この技術は、放送局側で、両方の方法で広告映像が挿入された動画コンテンツを用意し、それぞれ別チャネルの放送として配信し、受信機での選局時に、ユーザがどちらかのチャネルを選択することで、ユーザの所望の方法で広告映像が挿入された動画コンテンツを視聴する技術である。
【先行技術文献】
【特許文献】
【００１６】
【特許文献１】特開２００２−１１２２３８号公報
【発明の概要】
【発明が解決しようとする課題】
【００１７】
しかしながら、特許文献１の場合、両方の方法で広告映像が挿入された番組を放送事業者が用意して、それぞれを別のチャネルとして放送する必要があるので、限られた放送波のチャネルを非効率に使用することとなってしまう。
【００１８】
また、放送事業者以外の業者、例えば端末販売業者が広告映像を挿入することはできないので、前述のように、端末を無料もしくは廉価に販売して、広告収入で端末の料金を回収するビジネスモデルには適用できない。
【００１９】
さらに、広告映像を時間的に挿入したコンテンツと空間的に挿入したコンテンツとの切り替えはユーザによるリモコン操作による記載しかなく、状況に応じて端末が自動的に切り替えることができない。
【課題を解決するための手段】
【００２０】
上記課題を解決するために、本発明の第１の手段は、動画コンテンツ表示装置で再生する動画コンテンツを取得する動画コンテンツ取得部と、該動画コンテンツ表示装置で動作させるアプリケーションを取得するアプリケーション取得部と、前記取得した動画コンテンツの内容、及び／または、前記取得したアプリケーションの内容、及び／または、前記動画コンテンツ表示装置を利用しているユーザの操作に応じて、前記動画コンテンツ表示装置で表示する広告映像の表示方法を決める広告映像表示方法決定部と、前記決定した広告映像の表示方法に従って、前記動画コンテンツ表示装置で表示する広告映像を取得する広告映像取得部と、前記決定した広告映像の表示方法に従って、前記動画コンテンツと、前記アプリケーションと、前記広告映像とを合成して、前記動画コンテンツ表示装置で出力する画面を生成する表示画面生成部と、を備えることを特徴とするものである。
【００２１】
第２の手段は、第１の手段において、前記広告映像の表示方法とは、前記動画コンテンツに時間的に挿入する方法、もしくは、前記動画コンテンツに空間的に挿入する方法のいずれかであることを特徴とするものである。
【００２２】
第３の手段は、第１の手段において、前記動画コンテンツ表示装置で出力する画面の中の前記広告映像に対する前記ユーザの視聴状況情報を取得する視聴状況情報取得部をさらに備え、前記広告映像表示方法決定部は、前記取得した動画コンテンツの内容、及び／または、前記取得したアプリケーションの内容、及び／または、前記ユーザの操作、及び／または、前記ユーザの視聴状況情報に応じて、前記動画コンテンツ表示装置で表示する広告映像の表示方法を決めることを特徴とするものである。
【００２３】
第４の手段は、第１の手段において、前記取得した広告映像を、前記決定した広告映像の表示方法と整合のとれた広告映像となるように広告映像の変換を行う広告映像変換部をさらに備えることを特徴とするものである。
【００２４】
第５の手段は、第４の手段において、前記決定した広告映像の表示方法と整合のとれた広告映像とは、前記動画コンテンツに時間的に挿入する用の広告映像、もしくは、前記動画コンテンツに空間的に挿入する用の広告映像のいずれかであることを特徴とするものである。
【発明の効果】
【００２５】
本発明によれば、動画コンテンツやアプリケーションやユーザ操作やユーザの視聴状況に応じて、適切な広告表示方法に切り替わるため、最適な広告効果が得られるという効果を奏する。
【図面の簡単な説明】
【００２６】
【図１】本発明の第１の実施の形態に係る動画コンテンツ表示装置の一例の概略構成を示すブロック図である。
【図２】本発明の第１の実施の形態に係る動画コンテンツ表示装置の動作を示すフローチャートである。
【図３】動的に広告映像の表示方法を切り替えた場合の画面遷移の図である。
【図４】本発明の第２の実施の形態に係る動画コンテンツ表示装置の一例の概略構成を示すブロック図である。
【図５】本発明の第３の実施の形態に係る動画コンテンツ表示装置の一例の概略構成を示すブロック図である。
【図６】本発明の第４の実施の形態に係る動画コンテンツ配信装置の一例の概略構成を示すブロック図である。
【図７】広告映像を時間的に挿入する方法のイメージ図である。
【図８】広告映像を空間的に挿入する方法のイメージ図である。
【発明を実施するための形態】
【００２７】
以下、図面を参照して、本発明の各実施形態について説明する。
【００２８】
〔実施の形態１〕
図１は、本発明の第１の実施の形態に係る動画コンテンツ表示装置の一例の概略構成を示すブロック図である。
【００２９】
同図に示すように、動画コンテンツ表示装置１００１は、動画コンテンツ取得部１０１、アプリケーション取得部１０２、広告映像表示方法決定部１０３、広告映像取得部１０４、表示画面生成部１０５、を備えた構成となっている。
【００３０】
動画コンテンツ取得部１０１は、図示しない動画コンテンツを放送波から取得するデジタル放送チューナや動画コンテンツを配信するサーバと接続する通信ネットワークや動画コンテンツが格納された記録メディアに接続し、ユーザからの指示に応じて視聴する動画コンテンツを選択して、取得する部分である。
【００３１】
一般的に動画コンテンツは、符号化されているため、その復号処理もこの部分で行う。また、動画コンテンツには、音声データや字幕データやコンテンツの内容を示すデータが含まれていても良く、その場合には、それらの処理をこの部分で行う。
【００３２】
アプリケーション取得部１０２は、図示しない通信ネットワークに接続し、ユーザからの指示により、動画コンテンツ表示装置１００１で動作させるアプリケーションを取得する部分である。なお、動作させるアプリケーションは、動画コンテンツ受信部１０１で選択して受信した動画コンテンツに多重されていて、そこから抽出する構成であってもよいし、動画コンテンツ受信部１０１で選択して受信した動画コンテンツにアプリケーションの置き場所等の情報が多重されていて、その情報を基にアプリケーションを取得するようにしても良い。このような場合には、ユーザからのアプリケーション選択の指示は必須ではない。
【００３３】
広告映像表示方法決定部１０３は、動画コンテンツ取得部１０１で取得した動画コンテンツや、アプリケーション取得部１０２で取得したアプリケーションや、ユーザの指示や、図示していない事前設定情報などから、後述する方法に基づいて、広告映像の表示方法を決定する部分である。
【００３４】
広告映像取得部１０４は、図示しない通信ネットワークに接続し、広告映像表示方法決定部１０３で決定した広告映像表示方法に応じて、表示する広告映像を取得する部分である。
【００３５】
表示画面生成部１０５は、広告映像表示方法決定部１０３で決定した広告映像表示方法に応じて、動画コンテンツ取得部１０１で取得した動画コンテンツと、アプリケーション取得部１０２で取得したアプリケーションと、広告映像取得部１０４で取得した広告映像を合成して、図示しないディスプレイ等で表示する動画コンテンツ表示装置用の画面を生成する部分である。
【００３６】
広告映像表示方法決定部１０３にて、広告映像の表示方法を決定する方法としては、以下に記載する方法があるが、それらのいずれかに限定されるわけではなく、他の方法であってもよく、複数の方法を用いて決定してもよい。
【００３７】
広告映像の表示方法を決定する１つ目の方法としては、アプリケーションに応じて、広告映像の挿入方法を決定する方法である。
【００３８】
アプリケーションは、画面更新の頻度が高いものと、そうでないものとに分類できる。
【００３９】
前者の例としては、動画コンテンツに関するツイッタを表示するアプリケーションや、各種最新ニュースを逐次表示するようなアプリケーションや、動画コンテンツの字幕を表示するアプリケーションであり、後者の例としては、裏番組の情報を表示するアプリケーションや、各地の天気予報を順繰りに表示するようなアプリケーションがある。
【００４０】
前者の場合、アプリケーションの表示内容が頻繁に変わるので、広告映像をアプリケーションと同じ位置に空間的に挿入して表示すると、アプリケーションが更新した表示内容がすぐに広告表示に変わってしまったり、表示した広告映像が更新されたアプリケーションの表示にすぐに変わってしまったりして、ユーザに見えにくくなってしまう可能性があるので、時間的に広告映像を挿入する方法とし、後者の場合、時間的余裕があるので、広告映像を空間的に挿入する方法にすればよい。
【００４１】
アプリケーションは、ユーザが選択するために、名称や機能や利用条件などの各種情報を提示する必要があるが、その情報の中に画面更新頻度の目安も記載する仕組みとしておき、その値から事前に設定した閾値を元に、各アプリケーションの画面更新の頻度が高いものと、そうでないものとに分類し、広告の挿入方法を決定するようにすればよい。
【００４２】
もしくは、実際にアプリケーションを動作して、画面更新が一定時間以上行われなかったら、広告映像を空間的に挿入し、画面更新が一定時間内に行われる状態が続いた場合に、広告映像を時間的に挿入するようにてして、結果的に、画面更新の頻度が高いアプリケーションの場合に広告映像を時間的に挿入し、そうでないアプリケーションの場合に広告映像を空間的に挿入するようになってもよい。
【００４３】
また、アプリケーションを表示する際に、動画コンテンツと重畳しないように動画コンテンツを縮小して余白にアプリケーションを表示していたり、非１６：９のディスプレイを用いて動画コンテンツを表示した余白の領域にアプリケーションを表示していたりしていた場合に、まだ余白がある場合がある。
【００４４】
その際に、表示する広告映像が余白に収まる場合には、広告映像を空間的に挿入する方法とし、そうでない場合には、広告映像を時間的に挿入する方法としてもよい。
【００４５】
また、アプリケーションを表示する際に、動画コンテンツと重畳して表示している場合に、重畳してよい場所もしくは面積比が、後述する動画コンテンツの補助情報やユーザの指定により指示されていて、そこに収まる範囲でアプリケーションが表示されている。
【００４６】
その際に、表示する広告映像がその範囲に収まる場合には、広告映像を空間的に挿入する方法とし、そうでない場合には、広告映像を時間的に挿入する方法としてもよい。
【００４７】
また、アプリケーション毎に、アプリケーション表示位置での広告表示の可否を設定できるようにしておき、広告表示可能と設定されたアプリケーションの場合には、広告映像を空間的に挿入し、広告表示不可能と設定されたアプリケーションの場合には、広告映像を時間的に挿入するようにしてもよい。
【００４８】
２つ目の方法としては、リアルタイム系のコンテンツは空間的に広告映像を挿入する方法とし、非リアルタイム系のコンテンツは時間的に広告映像を挿入する方法とするように、広告の挿入方法を決定する方法である。
【００４９】
テレビ放送やインターネット上のライブ配信などのリアルタイム系の動画コンテンツでは、広告映像を時間的に挿入するには、挿入している時間分だけ動画コンテンツを端末でバッファリングしておく必要があるため、広告映像を挿入すればするほど遅延していき、ユーザのデメリットも大きいため、広告映像を空間的に挿入し、ＶＯＤやユーザが録画した番組やインターネット上の動画ファイルを再生するなどの非リアルタイム系の動画コンテンツは、広告映像を時間的に挿入するためには、動画コンテンツを一時停止すればよく、リアルタイム系コンテンツと違い、バッファリングの必要がないため、広告映像を時間的に挿入する方法にすればよい。
【００５０】
３つ目の方法としては、ニュースやスポーツなどの「ながら視聴系コンテンツ」は空間的に広告映像を挿入する方法とし、映画やドラマなどの「のめり込み視聴系コンテンツ」は時間的に広告映像を挿入する方法とするように、広告の挿入方法を決定する方法である。
【００５１】
「ながら視聴系コンテンツ」は、動画コンテンツ自体に、各種テロップやマークが配置されていることが多く、動画コンテンツに集中するというよりも情報が得られれば満足する場合が多くので、広告映像を空間的に挿入する方法にすればよい。
【００５２】
それに対して、「のめり込み視聴系コンテンツ」は、その動画コンテンツに集中して視聴するため、広告映像が同時に表示されると、その集中具合が妨げられてしまい、ユーザが不快に思うため、広告映像を時間的に挿入する方法にすればよい。
【００５３】
視聴する動画コンテンツが「ながら視聴系」であるのか「のめり込み視聴系」であるのかとの判定には、動画コンテンツに付与されているジャンルから判定してもよいし、実際に視聴しているユーザの瞳孔の開き具合や視線を画面に向けている割合などから、都度、「ながら視聴」をしているのか、「のめり込み視聴」をしているのかを判定するようにしても良い。
【００５４】
４つ目の方法としては、動画コンテンツの補助情報で指定された広告の挿入方法を決定する方法である。
【００５５】
動画コンテンツの補助情報とは、デジタル放送でいうと、ＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）との番組に関連する情報に相当し、その他の各種動画コンテンツにおいてはメタデータと称されているコンテンツに関連する情報を記載したものである。
【００５６】
このような情報を記載する枠組みを用いて、該当動画コンテンツを再生する際の広告挿入方法として、空間的に挿入する方法か、時間的に挿入する方法を指定することを可能とし、その情報に従って、広告の挿入方法を決定すればよい。
【００５７】
また、動画コンテンツの補助情報は、リアルタイム再生時と、一旦録画されて再生する場合とで独立して設定可能となっていても良い。
【００５８】
５つ目の方法としては、ユーザの操作に応じて広告の挿入方法を決定する方法である。
【００５９】
例えば、放送番組を録画したコンテンツやインターネット上の動画ファイルを再生するなどの非リアルタイム系の動画コンテンツは、早送りやスキップ再生が可能であるが、そうすると時間的に挿入した広告映像がきちんと視聴されないこととなる。
【００６０】
そのような特殊再生操作が多い場合には、広告映像を空間的に挿入することにすれば、広告映像がきちんと視聴されることとなる。
【００６１】
また、広告映像を空間的に挿入するのか、時間的に挿入するのかをユーザが手動で選択するようにしても良い。
【００６２】
６つ目の方法としては、ユーザが事前に設定した広告の挿入方法を決定する方法である。
【００６３】
また、基本的には１から５番目の決定方法で広告の挿入方法を決定するが、ユーザが追加料金を支払うことで、ユーザの事前に設定した所望の方法に切り替えるようにしてもよい。
【００６４】
なお、これまで広告映像を空間的に挿入する方法として、動画コンテンツを縮小して余白に表示したり、動画コンテンツに重畳表示したり、非１６：９のディスプレイを用いて動画コンテンツを表示した余白の領域に表示したりする方法を記載したが、その他に、広告映像をタブレットやスマートフォンなどの手元のセカンドスクリーンに表示する方法であってもよい。
【００６５】
図２は、本発明の第１の実施の形態に係る動画コンテンツ表示装置の動作を示すフローチャートである。
【００６６】
まずＳ０１でユーザが視聴するコンテンツ及びアプリケーションを選択する。
【００６７】
次いでＳ０２にて、上述のように、広告表示方法として、空間的に挿入する方法か、時間的に挿入する方法を決定する。
【００６８】
次いでＳ０３にて、広告表示方法が時間的に挿入する方法である場合に、Ｓ０４に移行し、そうでない場合にはＳ０６に移行する。
【００６９】
Ｓ０４では、挿入する広告の内容及びタイミングを決定し、所定の広告映像を取得し、Ｓ０５に移行する。
【００７０】
Ｓ０５では、取得した広告映像を時間的に挿入しながら動画コンテンツを再生し、Ｓ０１に戻る。
【００７１】
Ｓ０６では、挿入する広告の内容及び表示位置と表示サイズを決定し、所定の広告映像を取得し、Ｓ０７に移行する。
【００７２】
Ｓ０７では、取得した広告映像を所定の位置に表示しながら動画コンテンツを再生し、Ｓ０１に戻る。
【００７３】
なお、図２では、ユーザが視聴コンテンツ及びアプリケーションを選択したことをトリガとして、広告表示方法を決定するとのフローであったが、広告表示方法を決定するトリガは、これに限らなくてもよい。
【００７４】
例えば、前述の広告映像の表示方法を決定する３つ目の方法にて、ニュースやスポーツなどの「ながら視聴系コンテンツ」は空間的に広告映像を挿入する方法とし、映画やドラマなどの「のめり込み視聴系コンテンツ」は時間的に広告映像を挿入する方法とすると記載したが、このように番組の切り替わりをトリガとして広告映像の表示方法を決定するようにしても良い。
【００７５】
また同じく広告映像の表示方法を決定する３つ目の方法にて、実際に視聴しているユーザの瞳孔の開き具合や視線を画面に向けている割合などから、都度、「ながら視聴」をしているのか、「のめり込み視聴」をしているのかを判定して広告映像の表示方法を決定するようにしても良いと記載したが、このようにユーザの状態変化をトリガとして広告映像の表示方法を決定するようにしても良い。
【００７６】
図３は、このように動的に広告映像の表示方法を切り替えた場合の画面遷移の図である。
【００７７】
図３（ａ）は、「ながら視聴」をしているために空間的に広告映像が挿入されているが、ここで「のめり込み視聴」に変わると、時間的に広告映像が挿入されることとなるので、まず図３（ｂ）のように動画コンテンツが全画面で表示され、その後、所定の時間が経過した後に図３（ｃ）のように広告映像が全画面で表示され、さらに所定の時間が経過した後に図３（ｄ）のように動画コンテンツが全画面で表示されるようになる。
【００７８】
〔実施の形態２〕
図４は、本発明の第２の実施の形態に係る動画コンテンツ表示装置の一例の概略構成を示すブロック図である。
【００７９】
図１の第１の実施の形態のブロック図と異なるのは、動画コンテンツ表示装置２００１では、動画コンテンツ表示装置１００１から広告効果認識部２０１が追加されている点である。
【００８０】
広告効果認識部２０１は、表示している広告映像に対するユーザの視聴状況情報を取得し、その情報から表示している広告映像がユーザに正しく視聴されているか否かを認識し、その認識結果を、広告映像表示方法決定部１０３に通知する部分である。
【００８１】
そして、広告映像表示方法決定部１０３では、その通知を元に、現在の広告映像表示方式では広告効果がないと判定すると、他の広告映像表示方法を選択するようにする。
【００８２】
まず広告映像を動画コンテンツに空間的に挿入している場合を想定する。
【００８３】
この場合、広告映像を挿入する箇所を固定するのが一般的である。特に、非１６：９のアスペクト比のモニタを利用する場合、１６：９の動画コンテンツを表示して、余った部分に広告映像を表示するのが一般的である。
【００８４】
そのような場合に、広告映像を表示する部分に覆いをしたり、物を置いたりして、広告表示領域とユーザの間に遮蔽物があると、広告映像がユーザの目に入らなくなり、空間的に広告映像を挿入しても、広告効果が全くなくなってしまう。
【００８５】
そこで、広告表示領域の前面に遮蔽物があることを検知した場合には、広告映像を時間的に挿入する方法に切り替えればよい。
【００８６】
なお、広告映像を時間的に挿入する方法に切り替えるのではなく、広告映像を挿入する箇所を変更したり、広告映像が視聴されていない旨の警告を動画コンテンツ表示領域に表示したり、音声でその旨の警告を発したりするようにしてもよい。
【００８７】
広告表示領域の前面に遮蔽物があることを検知するには、カメラや照度計等をあらかじめモニタに設置しておき、それら機器の出力を、ユーザの視聴状況情報として取得し、その情報を解析して広告表示領域の前面の遮蔽物の有無を検知すればよい。
【００８８】
具体的には、広告表示領域脇に設置したカメラや照度計と、動画コンテンツ表示領域脇に設置したカメラや照度計との出力を比較し、明らかに広告表示領域脇の出力が暗い場合に広告表示領域の前面に遮蔽物があると認識すればよい。
【００８９】
もしくは、表示領域の液晶マスクの背後にイメージセンサを設け、映像表示用と撮影用の液晶マスクを高速に交互に切り替えることで、表示領域の前面が撮影できるので、広告表示領域前面の撮影映像と、動画コンテンツ表示領域前面の撮影映像との比較を行い、広告表示領域の前面の遮蔽物の有無を検知しても良い。
【００９０】
また、カメラや照度計でなく、距離センサを広告表示領域脇に設置し、広告表示領域の前に置いてある物体との距離から広告表示領域の前面の遮蔽物の有無を検知するようにしても良い。
【００９１】
また、不定期に広告映像表示領域を用いてユーザにリモコン操作を促すようなインタラクションチェックを行うことで広告映像表示領域が見られていることを検知しても良い。
【００９２】
具体的には、「広告映像表示領域チェックです。この文章が正しく読み取れたら、××ボタンを押してください」などのインタラクションを促す文章を広告映像表示領域に表示して、それに反応してユーザが××ボタンを押すことで、広告映像表示領域に遮蔽物がないことを検知するようにしても良い。
【００９３】
このインタラクションチェックは、ユーザが不在で動画コンテンツ表示装置が映像を表示している状態で行うことは好ましくない。
【００９４】
そこで、インタラクションチェックを行うには、ユーザが動画コンテンツ表示装置を見ている状況で行うべきであり、そのチェックとしては、表示装置の操作端末の操作直後であったり、人感センサで人がいることを検知した後であったりした状況で行うべきである。
【００９５】
次に広告映像を動画コンテンツに時間的に挿入している場合を想定する。
【００９６】
この状況で、広告映像が表示している間だけ、ユーザが席を外したり、視線をモニタ以外に向けたりして、広告映像を見ていないことを検知した場合に、広告映像を空間的に挿入する方法に切り替えればよい。
【００９７】
なお、広告映像を空間的に挿入する方法に切り替えるのではなく、広告映像が視聴されていない旨の警告を動画コンテンツ表示中に表示したり、音声でその旨の警告を発したりするようにしてもよい。
【００９８】
ここまでの説明では、すでに、広告映像の表示方法が空間的に挿入しているか、時間的に挿入しているのか、が決まった後の状況で説明したが、初期状態での、広告映像の表示方法が決まっていない状況で、広告映像の表示方法を決める際に利用してもよい。
【００９９】
また、本実施の形態の応用展開として、広告映像の表示方法が空間的に挿入する方法か、時間的に挿入する方法かのどちらかでしか運用しない動画コンテンツ表示装置において、広告映像がユーザに正しく視聴されているか否かを認識し、広告効果がないと判定すると、動画コンテンツ表示領域または動画コンテンツ表示中に、広告映像が視聴されていない旨の警告を動画コンテンツ表示中に表示したり、音声でその旨の警告を発したりするようにしてもよい。
【０１００】
〔実施の形態３〕
図５は、本発明の第３の実施の形態に係る動画コンテンツ表示装置の一例の概略構成を示すブロック図である。
【０１０１】
図１の第１の実施の形態のブロック図と異なるのは、動画コンテンツ表示装置３００１では、動画コンテンツ表示装置１００１から、広告映像変換部３０１が追加されている点である。
【０１０２】
用意されている広告映像が、時間的に挿入する用もしくは空間的に挿入する用のいずれかしか用意されていなかったり、通信ネットワークの不具合でどちらかしか取得出来なかったりする場合がある。
【０１０３】
そのような場合に、広告映像変換部３０１は、広告映像取得部１０４で取得した広告映像が、動画コンテンツに時間的に挿入する用の広告映像もしくは動画コンテンツに空間的に挿入する用の広告映像のいずれか片方しか取得できず、その取得した映像が、広告映像表示方法決定部１０３で決定した広告映像の表示方法用と異なる場合に、取得した広告映像を、広告映像表示方法決定部１０３で決定した広告映像の表示方法用と整合のとれた広告映像に変換する部分である。
【０１０４】
すなわち、空間的に挿入する広告映像を表示することを決定したのに、時間的に挿入する用の広告映像のみを取得した場合に、その取得した広告映像を空間的に挿入する用の広告映像に変換し、時間的に挿入する広告映像を表示することを決定したのに、空間的に挿入する用の広告映像を取得した場合に、その取得した広告映像を時間的に挿入する用の広告映像に変換することを行う部分である。
【０１０５】
空間的に挿入する用の広告映像を時間的に挿入する用の広告映像に変換する方法としては、広告映像を動画コンテンツ表示領域の大きさになるように拡大したり、広告映像を拡大せずに周囲に模様などのダミーのデータを付加して動画コンテンツ表示領域の大きさになるようにしたりすればよい。
【０１０６】
時間的に挿入する用の広告映像を空間的に挿入する用の広告映像に変換する方法としては、広告映像を空間的に挿入する表示の大きさになるように縮小したり、広告映像の中から抽出した文字や音声をテキスト化して得た文字を、空間的に挿入する表示の大きさになるようにレイアウトしたりして所定の大きさになるようにすればよい。
【０１０７】
また、ここでは、時間的に挿入する用の広告映像と空間的に挿入する用の広告映像のいずれかから、もう片方の広告映像を作成する場合を述べたが、両方に共通の広告映像を作成しておき、その中から所望のデータを集めることで、時間的に挿入する用の広告映像が出来たり、空間的に挿入する用の広告映像が出来たりするようにしても良い。
【０１０８】
具体的には、時間的に挿入する用として音声データを用意しておき、空間的に装入する用として音声データを文字化したデータを用意しておくとか、時間的に挿入する用の画像データの中で、空間的に装入する場合には、その中の一部の領域の画像データを用いるようにするとの指定を行うようにすればよい。
【０１０９】
〔実施の形態４〕
図６は、本発明の第４の実施の形態に係る動画コンテンツ配信装置の一例の概略構成を示すブロック図である。
【０１１０】
同図に示すように、動画コンテンツ配信装置４００１は、動画コンテンツ取得部４０１、動画コンテンツ格納部４０２、広告映像挿入方法決定部４０３、補助情報作成部４０４、動画コンテンツ送信部４０５、を備えた構成となっている。
【０１１１】
本実施の形態に係る動画コンテンツ配信装置は、本発明の第１から第３の実施の形態に係る動画コンテンツ表示装置に対して、動画コンテンツを配信する側の装置に相当する。
【０１１２】
動画コンテンツ取得部４０１は、配信者からの指示に従い、動画コンテンツ格納部４０２内に格納された動画コンテンツの中から配信する動画コンテンツを選択して、取得する部分である。
【０１１３】
動画コンテンツ格納部４０２は、動画コンテンツ及びそのタイトルや出演者などの情報を格納してある部分である。ここでは、記録媒体として記載を行うが、生放送やライブストリーミングの場合には、記録媒体でなく、カメラ等の撮像装置で実現される。
【０１１４】
広告映像挿入方法決定部４０３は、配信者からの指示に従い、該当動画コンテンツに広告映像を挿入する場合に、空間的に挿入する方法を指定するのか、時間的に挿入する方法を指定するのかを決定する部分である。
【０１１５】
また、空間的に挿入する方法か時間的に挿入する方法かを指定するのではなく、どの方法でもよいと指定して、表示装置やユーザに広告映像の挿入方法の選択を委ねることを可能としても良いし、いずれの挿入方法も禁止すると指定して、広告映像が挿入されないようにすることを可能としても良い。
【０１１６】
補助情報作成部４０４は、動画コンテンツ格納部４０２から読み出したタイトルや出演者などの情報に、広告映像挿入方法決定部４０３にて決定した広告映像挿入方法の情報を付加して、前述のＰＳＩ／ＳＩやメタデータ等の補助情報を作成する部分である。
【０１１７】
動画コンテンツ送信部４０５は、動画コンテンツ格納部４０２から取得した動画コンテンツと、補助情報作成部４０４で作成した補助情報とを送信する動画コンテンツ送信部である。
【０１１８】
このような構成とすることにより、本発明の第１から第３の実施の形態に係る動画コンテンツ表示装置に対して、広告映像挿入方法の情報を含んだ補助情報を動画コンテンツとともに配信することが可能となる。
【０１１９】
なお、ここでは、広告映像挿入方法の決定を動画コンテンツ配信時に行う構成としたが、タイトルや出演者などの情報と同様に、事前に動画コンテンツ格納部に格納してあってもよい。
【産業上の利用可能性】
【０１２０】
本発明は、映像コンテンツとアプリケーションを表示する装置全般に利用する事が出来る。
【符号の説明】
【０１２１】
１００１…動画コンテンツ表示装置
１０１…動画コンテンツ取得部
１０２…アプリケーション取得部
１０３…広告映像表示方法決定部
１０４…広告映像取得部
１０５…表示画面生成部
２００１…動画コンテンツ表示装置
２０１…広告効果認識部
３００１…動画コンテンツ表示装置
３０１…広告映像変換部
４００１…動画コンテンツ配信装置
４０１…動画コンテンツ取得部
４０２…動画コンテンツ格納部
４０３…広告映像挿入方法決定部
４０４…補助情報作成部
４０５…動画コンテンツ送信部
【図１】
2017139509.tif 000003
【図２】
2017139509.tif 000004
【図３】
2017139509.tif 000005
【図４】
2017139509.tif 000006
【図５】
2017139509.tif 000007
【図６】
2017139509.tif 000008
【図７】
2017139509.tif 000009
【図８】
2017139509.tif 000010